(57)【要約】【課題】  コストを抑えつつ蛇の昇塔を効果的に防止することができる蛇の昇塔防止パネルを提供すること。【解決手段】  蛇の昇塔防止パネル５は、金網により形成され、電力設備の鉄塔１への人の昇塔を防止する昇塔防止装置２に取り付けられ、昇塔防止装置２は、鉄塔１の塔脚３に設けられ、塔脚３に対して略直交方向に向かって放射状に延設される複数のロッド１０を有し、ロッド１０が形成する水平面を下方から覆うようにロッド１０間を跨いでロッド１０に固定されて、蛇の鉄塔１への昇塔を防止する。【選択図】      図３
2005307434.tif 000002
【特許請求の範囲】
【請求項１】
金網により形成され、電力設備の鉄塔への人の昇塔を防止する昇塔防止装置に取り付けられる蛇の昇塔防止パネルであって、
前記昇塔防止装置は、前記鉄塔の塔脚に設けられ、該塔脚に対して略直交方向に向かって放射状に延設される複数のロッドを有し、
該ロッドが形成する水平面を下方から覆うように前記ロッド間を跨いで該ロッドに固定されて、蛇の前記鉄塔への昇塔を防止することを特徴とする蛇の昇塔防止パネル。
【請求項２】
前記水平面に対して下向きに回動して前記鉄塔を昇降する際の通路を開放又は閉塞する回動パネル部を備えたことを特徴とする請求項１に記載の蛇の昇塔防止パネル。
【発明の詳細な説明】
【技術分野】
【０００１】
本発明は、送電鉄塔等の電力設備の鉄塔に蛇が登るのを防止するための蛇の昇塔防止パネルに関する。
【背景技術】
【０００２】
送電鉄塔等の電力設備の鉄塔上部にあるカラスの卵やひな等を狙って鉄塔によじ登った蛇が送電線等に接触することにより地絡事故が発生することがある。このような地絡事故は一旦発生してしまうと蛇を取り除くまで送電することができず、長期停電の原因になる場合もあることから、このような事故を防止するために、従来より、蛇が鉄塔を登るのを防止する蛇の昇塔防止具が種々考案されている（例えば、特許文献１及び特許文献２）。
【０００３】
この特許文献１に記載の昇塔防止具（昇塔柱防止装置）は、金網と、この金網が張設される枠体と、この枠体を鉄塔の主柱に対して略直交方向に保持する支持腕とを備え、下方から登ってくる蛇等が金網が張られた枠体を乗り越えられないようにしている。また、特許文献２に記載の昇塔防止具（防虫、防蛇用テープ）は、一面に防虫、防蛇用忌避剤を含有したテープであって、このテープを鉄塔の主柱に巻き付けることによって蛇等が鉄塔に近づかないようにする。
【０００４】
しかしながら、例えば特許文献１に記載の昇塔防止具では、風雪による荷重や人が載った際の人の荷重によっても枠体が傾いたり変形したりすることがないように、頑丈な構造とする必要があり、コストが高くなるという問題がある。
【０００５】
一方、例えば特許文献２に記載の昇塔防止具を用いれば、比較的安価に蛇の昇塔を防止することが可能であるが、その効果の持続性に問題があり、消耗が早くメンテナンスが煩となる。
【特許文献１】特開平５−５９８４７号公報
【特許文献２】実開昭６２−７０１０１号公報
【発明の開示】
【発明が解決しようとする課題】
【０００６】
本発明は、このような問題に鑑みてなされたもので、コストを抑えつつ蛇の昇塔を効果的に防止することができる蛇の昇塔防止パネルを提供することを課題としている。
【課題を解決するための手段】
【０００７】
このような課題を解決するために、請求項１に記載の発明は、金網により形成され、電力設備の鉄塔への人の昇塔を防止する昇塔防止装置に取り付けられる蛇の昇塔防止パネルであって、前記昇塔防止装置は、前記鉄塔の塔脚に設けられ、該塔脚に対して略直交方向に向かって放射状に延設される複数のロッドを有し、該ロッドが形成する水平面を下方から覆うように前記ロッド間を跨いで該ロッドに固定されて、蛇の前記鉄塔への昇塔を防止することを特徴とする。
【０００８】
請求項２に記載の発明は、請求項１に記載の発明において、前記水平面に対して下向きに回動して前記鉄塔を昇降する際の通路を開放又は閉塞する回動パネル部を備えたことを特徴とする。
【発明の効果】
【０００９】
請求項１の発明によれば、金網からなり、昇塔防止装置のロッドが形成する水平面を下方から覆うようにロッド間を跨いでロッドに固定されているので、頑丈な構造である昇塔防止装置の強度を有効に利用することができ、昇塔防止パネル自体が電力設備の鉄塔の塔脚に対して水平方向を保つための構造やさらには人の荷重等の外力に耐え得るための構造を備える必要がない。したがって、安価な金網から形成される昇塔防止パネルは、蛇の昇塔を効果的に防止しながら、特許文献１に記載のような従来の昇塔防止具に比べてコストの低減化を図ることができる。また、特許文献２に記載の従来の昇塔防止具のように時の経過とともにその効果が薄れていくというような問題もなく、耐久性に優れる。
【００１０】
請求項２の発明によれば、水平面に対して下向きに回動して鉄塔を昇降する際の通路を開放又は閉塞する回動パネル部を備えたので、作業員等が補修作業等のために鉄塔を昇降する際にも、昇塔防止パネルを取り外すような手間を要せず、鉄塔の昇降が容易に可能となる。
【発明を実施するための最良の形態】
【００１１】
以下、図面を参照して本発明を実施するための最良の形態について説明する。
【実施例１】
【００１２】
本実施例に係る蛇の昇塔防止パネルは、例えば送電鉄塔等の電力設備の鉄塔に蛇が登るのを防止するためのパネルである。鉄塔には、図１に示すように、安全対策として関係者以外の者が鉄塔１に登るのを防止するための人の昇塔防止装置２が既設されていることがある。この昇塔防止装置２は、鉄塔１の塔脚３に設けられ、この塔脚３に対して略直交方向（地面４に対して略水平方向）に強固に保持されている。そして、この昇塔防止装置２に蛇の昇塔防止パネル５が取り付けられることにより、昇塔防止パネル５は下方から鉄塔１に登ってくる蛇がそれ以上上方に登ることができないようにする。
【００１３】
昇塔防止装置２は、図２に示すように、一対の鉄製の組立体６，７からなり、組立体６，７はそれぞれ略半円枠状の基部８と、この基部８の円弧状の弧状壁９から外側に向かって放射状に延設された複数のロッド１０とを備えている。ロッド１０は、例えば半径略１６ｍｍの細棒状で、それぞれ弧状壁９に形成された貫通孔１１に貫通した状態でナット１２により締結されて弧状壁９に固定されている。また、組立体７の基部８の平面壁１３には、その中央に弧状壁９側に向けて直角に凹んだ凹部１４が形成されている。
【００１４】
この昇塔防止装置２は、この組立体６，７のそれぞれの平面壁１３がそれぞれ対向するように断面略Ｌ字状の塔脚３の内側に組立体６が、外側に組立体７が配され、平面壁１３同士がボルト１５によって締結されることによって、塔脚３を挟むようにして鉄塔１に取り付けられている。なお、組立体７の凹部１４には塔脚３の立壁１６，１７から形成される角部１８が収まって、凹部１４が塔脚３に沿うようになっている。このようにして、この昇塔防止装置２は、そのロッド１０が塔脚３に対して略直交方向に向かって放射状に延びた状態で、塔脚３に強固に固定されて、例えば作業員等が上にのっても傾いたり変形したりしないようになっている。
【００１５】
なお、このような既設の昇塔防止装置は、人の昇塔を防止する目的で設けられているため、必ずしも蛇の昇塔防止に最も効果的な位置に取り付けてあるとは限らない。したがって、より効果を高めるために必要に応じて昇塔防止装置の取り付け位置を変えてもよい。この昇塔防止装置は、蛇の昇塔防止を考えると、図１に示すように、その下端２０が地面４につながる斜材２１の上端２２より上方にあるのが望ましい。
【００１６】
昇塔防止パネル５は、図３乃至図５に示すように、この昇塔防止装置２にその下側から取り付けられる。この昇塔防止パネル５は三枚の略扇状のパネル体２３，２４，２５をつなぎ合わせてなり、これらのパネル体２３，２４，２５はそれぞれ所定の間隔以下で織り込まれた例えばステンレス製の金網によって形成されている。ここで、所定の間隔とは蛇が通り抜けることができない程度の間隔をいう。また、パネル体２３，２４，２５がつなぎ合わされたときに外周縁となる外縁部２６，２７，２８は金属製のフラットバー２９等によって補強されている。これによって、金網がばらけるのを防止したり、人が金網の先端で負傷するのを防止することができる。また、見栄えの向上を図ることもできる。なお、このフラットバー２９の形成には、例えば錆びにくく強度も強いステンレス等を用いるのが好適である。
【００１７】
パネル体２６，２７は互いに左右対称となっており、それぞれ塔脚３の立壁１６，１７にパネル体２６，２７の辺部３０，３１が沿うように昇塔防止装置２に取り付けられる。また、パネル体２８は中心（辺部３４の延長線と辺部３５の延長線とが交差するところ）がカットされて辺部３６が形成され、この辺部３６が塔脚３の立壁１６の端縁と立壁１７の端縁とを結んだ線に沿うように昇塔防止装置２に取り付けられる。このようにして、三枚のパネル体２６，２７，２８が所定の位置に取り付けられると、この昇塔防止パネル５は昇塔防止装置２のロッド１０間を跨いでロッド１０が形成する略円状の水平面をほぼ下方から覆うこととなる。なお、昇塔防止パネル５の径は蛇が体長の二分の一程度立ち上がっても乗り越えられない程度の径である必要があり、具体的には体長略２ｍの蛇の昇塔を防止しようとすれば、半径略１ｍ以上であることが望ましい。
【００１８】
この昇塔防止パネル５を鉄塔１に取り付ける際は、昇塔防止装置２の下方からパネル体２６，２７，２８のうちいずれか一つ、例えばパネル体２８をまず所定の位置にあてがった後、ロッド１０と金網とが当接する場所において適宜ロッド１０と金網とをサドル７５とプレート７６とで挟み込んでリベット７７で締結したり、あるいはＵボルト３８やバインド線３９等で締結したりして固定する（図６参照）。このとき、蛇の昇塔を防止するために昇塔防止パネル５の下面４０はなるべく突起等がない平らな状態であることが望ましい。このため、Ｕボルト３８を用いる場合は昇塔防止パネル５の上面４１側にナット４２がくるように、またバインド線３９を用いる場合は昇塔防止パネル５の上面４１側に結び目がくるようにする。また、昇塔防止装置２の下面と昇塔防止パネル５の上面４１との間になるべく隙間ができないように、昇塔防止パネル５を取り付けるようにする。
【００１９】
このようにして、パネル体２６，２７についても順次ロッド１０と金網とを締結していく。そして、パネル体２６，２７，２８が互いに重なる部分をリベット等で固定することによりパネル体２６，２７，２８を互いに連結する。
【００２０】
また、塔脚３とパネル体２６，２７，２８との間、特に塔脚３の角部１８の内側には隙間が生じ、このような隙間を通って蛇が鉄塔１を登る可能性がある。したがって、このような隙間を埋めるために、また昇塔防止パネル５を下方から支えるために、塔脚３近傍の昇塔防止パネル５の下面４０には、一対の金属製の合わせプレート４４，４５が取り付けられる。合わせプレート４４は略三角形状を呈する一方、他方の合わせプレート４５は、合わせプレート４４と組み合わせたときに略矩形状を呈するように、四辺のうちの一辺から合わせプレート４４の形状（略三角形状）に合わせて切り欠かれた形状となっている。そして、合わせプレート４４の先端４６が塔脚３の角部１８の内側（立壁１６，１７の内面）に沿うように配される一方、合わせプレート４５の切欠部４７が角部１８の外側（立壁１６，１７の外面）に沿うように配されて、合わせプレート４４，４５で塔脚３近傍の隙間を閉塞するようになっている。
【００２１】
また、昇塔防止パネル５を取り付ける際に、昇塔防止パネル５内を鉄塔１の斜材２１が通る場合には、昇塔防止パネル５の金網に切り欠き（図示略）を設け、この切り欠きに斜材２１を通すようにする。なお、この切り欠きと斜材２１との間にも隙間ができるため、この隙間は小さく切断した金網４８あるいは合わせプレート等で塞ぐ。
【００２２】
この実施例に係る蛇の昇塔防止パネル５では、金網からなり、昇塔防止装置２のロッド１０が形成する水平面を下方から覆うようにロッド１０間を跨いでロッドに固定されているので、頑丈な構造である昇塔防止装置２の強度を有効に利用することができ、昇塔防止パネル５自体が塔脚３に対して水平方向を保つための構造やさらには人の荷重等の外力に耐え得るための構造を備える必要がない。したがって、安価な金網から形成される昇塔防止パネル５は、蛇の昇塔を効果的に防止しながら、特許文献１に記載のような従来の昇塔防止具に比べてコストの低減化を図ることができる。また、特許文献２に記載の従来の昇塔防止具のように時の経過とともにその効果が薄れていくというような問題もなく、耐久性に優れる。
【実施例２】
【００２３】
本実施例に係る蛇の昇塔防止パネルは、図７及び図８に示すように、実施例１の昇塔防止パネル５に開閉機能を加えたものであり、補修作業等の際に、鉄塔１の外側に配されるパネル体５３を開けて作業員等が昇降できるようにしたものである。なお、実施例１と同一の部分については同一符号を付して重複する説明を省略する。
【００２４】
この昇塔防止パネル５０は、四枚のパネル体２５，５１，５２，５３をつなぎ合わせてなる。パネル体５１，５２は互いに左右対称の略三角形状を呈し、それぞれ塔脚３の立壁１６，１７にパネル体５１，５２の辺部５４，５５が沿うように昇塔防止装置２に取り付けられる。
【００２５】
パネル体５３は、四枚の略三角形状のパネル部５６，５７，５８，５９が互いに連結されてなり、略半円状を呈している。パネル部５６とパネル部（回動パネル部）５７とは、例えばヒンジ（ちょうつがい）７４等によってパネル部５６に対してパネル部５７が下方向に回動するように連結されており、パネル部５９とパネル部（回動パネル部）５８も同様に、パネル部５９に対してパネル部５８が下方向に回動するように連結されている。そして、パネル部５７とパネル部５８との連結部分となる各縁部６０には金属製のＬ型アングル６１が設けられている。なお、このＬ型アングル６１は昇塔防止パネル５０の下面４０をなるべく平らにするために、昇塔防止パネル５０の上面４１側に突出するようになっている。
【００２６】
また、パネル部５８の縁部６０にはパネル部５７と連結するための連結プレート７８がパネル部５７に向かって突設されている。この連結プレート７８の縁部には切り欠き７９が形成されており、この連結プレート７８をパネル部５７のＬ型アングル６１の下面に当接させてパネル部５７のＬ型アングル６１の下面とナット（図示略）との間に切り欠き７９を挟み込ませることによりパネル部５７とパネル部５８とが連結される。また、このナットを緩めて連結プレート７８をはずすことにより、パネル部５７とパネル部５８との連結が解除されてパネル部５７とパネル部５８とが両開きで下方に開くようになっている。なお、このパネル部５６，５７，５８，５９のそれぞれに塔脚３との間の隙間を埋めるためのプレート６２，６３，６４，６５が取り付けられる。
【００２７】
この昇塔防止パネル５０を鉄塔１に取り付ける際は、昇塔防止装置２の塔脚３の外側に配された組立体７を取り外し、残りの内側に配された組立体６のみを利用する。まず、パネル体５３をL型アングル６７及びボルト６８によって昇塔防止装置２に取り付け、塔脚３に対して略直交方向（地面４に対して略水平方向）に強固に保持する。つぎに、塔脚３の内側に設けられた組立体６に、パネル体２５，５１，５２を順次リベット７７等によって締結して取り付けるとともに、この組立体６（昇塔防止装置２）にパネル体５３を塔脚３の外側から塔脚３を挟むように取り付ける。そして、昇塔防止パネル５０のパネル体２５，５１，５２，５３全体を連結する。このようにして、昇塔防止パネル５０が鉄塔１に取り付けられると、パネル部５７とパネル部５８とが水平面に対して下向きに回動して、人が鉄塔１を昇降する際の通路を開放したり閉塞したりするようになっている。
【００２８】
また、人の昇降が可能な鉄塔１には、人の落下を防止するためのセーフティワイヤ６９が設けられている。このため、パネル部５７及びパネル部５８の各縁部６０には、このセーフティワイヤ６９との干渉を避けるための切欠部（図示略）が塔脚３近傍に形成され、セーフティワイヤ６９がこの切欠部を通るように昇塔防止パネル５０を取り付ける。また、セーフティワイヤ６９と切欠部との間の隙間を閉塞し、かつセーフティワイヤ６９のプレート６３，６４の縁部との接触による損傷を防止するために、この切欠部近傍をゴム部材７０で塞ぐ。このゴム部材７０には、セーフティワイヤ６９の径と略同一の径の孔７１が形成されるとともに、一端部７２からこの孔７１までつながるスリット７３が形成されている。したがって、セーフティワイヤ６９を一端部７２からスリット７３に差し入れて孔７１まで進入させることにより、セーフティワイヤ６９が切欠部に納められる。
【００２９】
この実施例に係る蛇の昇塔防止パネル５０では、水平面に対して下向きに回動して鉄塔１を昇降する際の通路を開放又は閉塞するパネル部５７，５８を備えたので、作業員等が補修作業等のために鉄塔１を昇降する際にも、昇塔防止パネル５０を取り外すような手間を要せず、鉄塔１の昇降が容易に可能となる。
【００３０】
なお、本発明は上述した実施例に限られるものではなく、例えば実施例１及び実施例２では、昇塔防止パネル５，５０のパネル体の枚数をそれぞれ３枚及び４枚として説明したが、これに限られず、運搬や取付作業等の必要に応じて適宜任意の枚数であってよい。
【図面の簡単な説明】
【００３１】
【図１】本発明に係る昇塔防止パネルの鉄塔への取付位置を説明するための概略図である。
【図２】昇塔防止パネルが取り付けられる昇塔防止装置を示す斜視図である。
【図３】実施例１に係る昇塔防止パネルが昇塔防止装置に取り付けられた状態を示す平面図である。
【図４】実施例１に係る昇塔防止パネルが昇塔防止装置に取り付けられた状態を示す図３のＡ−Ａ’位置における断面図である。
【図５】実施例１に係る昇塔防止パネルが昇塔防止装置に取り付けられた状態を示す斜視図である。
【図６】昇塔防止パネルの昇塔防止装置への取付方法の例を示すための図である。
【図７】実施例２に係る昇塔防止パネルが昇塔防止装置に取り付けられた状態を示す平面図である。
【図８】昇塔防止装置に取り付けられた実施例２に係る昇塔防止パネルが開いた状態を示す斜視図である。
【符号の説明】
【００３２】
１                鉄塔
２                昇塔防止装置
３                塔脚
５、５０          昇塔防止パネル（蛇の昇塔防止パネル）
１０              ロッド
５７、５８        パネル部（回動パネル部）
【図１】
2005307434.tif 000003
【図２】
2005307434.tif 000004
【図３】
2005307434.tif 000005
【図４】
2005307434.tif 000006
【図５】
2005307434.tif 000007
【図６】
2005307434.tif 000008
【図７】
2005307434.tif 000009
【図８】
2005307434.tif 000010